(57)【要約】【課題】集塵袋を装着する際に、逆止弁が口紙とシール部との間に挟み込まれることのない電気掃除機を提供することを課題とする。【解決手段】  電動送風機４及び集塵室５を有する掃除機本体１と、前記集塵室５と連通する吸気口６と、上方から前記集塵室５に着脱自在に装着される集塵袋９と、該集塵袋９の吸込口１０周縁に取り付けられた台紙１１と、前記集塵室５を覆う集塵蓋１４と、前記台紙１１と密着するシール部１３ｂを有し、塵埃の漏れを防止する逆止弁１３と、前記吸気口６に接続される接続パイプ７とを備えた電気掃除機であって、前記逆止弁１３は、複数分割されるとともに、分割された下方側の弁１３ｄの長さを、上方側の弁１３ｄの長さよりも短くした。【選択図】  図７
2008099855.tif 000002
【特許請求の範囲】
【請求項１】
電動送風機及び集塵室を有する掃除機本体と、前記集塵室と連通する吸気口と、上方から前記集塵室に着脱自在に装着される集塵袋と、該集塵袋の吸込口周縁に取り付けられた台紙と、前記集塵室を覆う集塵蓋と、前記台紙と密着するシール部を有し、塵埃の漏れを防止する逆止弁と、前記吸気口に接続される接続パイプとを備えた電気掃除機であって、
前記逆止弁は、複数分割されるとともに、分割された下方側の弁の長さを、上方側の弁の長さよりも短くしたことを特徴とする電気掃除機。
【請求項２】
前記シール部の内側にヒレ部を形成したことを特徴とする請求項１記載の電気掃除機。
【請求項３】
前記逆止弁に前記接続パイプ側に凹む段部を形成したことを特徴とする請求項２記載の電気掃除機。
【発明の詳細な説明】
【技術分野】
【０００１】
本発明は、塵埃の逆流を防止する逆止弁に関するものである。
【背景技術】
【０００２】
一般的な電気掃除機は、掃除機本体の前方に集塵室と連通する吸気口が設けられ、この吸気口に接続パイプが接続されている。集塵室には塵埃を集塵する集塵袋が上方から着脱自在に装着され、更には集塵袋の台紙に対応したシール部を有する逆止弁が設けられている。
【０００３】
この逆止弁は、放射状に複数分割され、分割された各弁は、接続パイプが吸気口に接続されると接続パイプの端部が当たって吸気口を開くようになっている。接続パイプを吸気口から抜くと、各弁は閉じた状態となるので、逆止弁によって集塵袋に集塵された塵埃が集塵袋から漏れないように構成されている。（特許文献１）
しかしながら、その放射状分割の中心は、逆止弁の略中央で分割されているため、分割された各弁の長さは全て同じ長さとなり、接続パイプが吸気口に接続された状態では、各弁のかなりの部分がシール部よりも突出している。従って、接続パイプが吸気口に接続された状態で集塵袋を装着しようとした時に、下方に位置する弁をシール部と台紙との間に挟み込んでしまってシール部と台紙との間に隙間が生じ、この隙間から塵埃が漏れてしまうという欠点があった。
【特許文献１】特開平５−２８５０７８号公報（Ａ４７Ｌ  ９／１０）
【発明の開示】
【発明が解決しようとする課題】
【０００４】
本発明は、上記欠点に鑑みなされたもので、集塵袋を装着する際に、逆止弁が台紙とシール部との間に挟み込まれることのない電気掃除機を提供することを課題とする。
【課題を解決するための手段】
【０００５】
上記課題を解決するための第１の手段は、電動送風機及び集塵室を有する掃除機本体と、前記集塵室と連通する吸気口と、上方から前記集塵室に着脱自在に装着される集塵袋と、該集塵袋の吸込口周縁に取り付けられた台紙と、前記集塵室を覆う集塵蓋と、前記台紙と密着するシール部を有し、塵埃の漏れを防止する逆止弁と、前記吸気口に接続される接続パイプとを備えた電気掃除機であって、前記逆止弁は、複数分割されるとともに、分割された下方側の弁の長さを、上方側の弁の長さよりも短くしたことを特徴とする。
【０００６】
また、前記シール部の内側にヒレ部を形成してもよい。
【０００７】
また、前記逆止弁に前記接続パイプ側に凹む段部を形成してもよい。
【発明の効果】
【０００８】
本発明の請求項１によれば、分割された下方側の弁の長さを、上方側の弁の長さよりも短くしたので、各弁が開いた状態の下方側の弁においては、前記シール部から突出する部分が少なくなる。従って、前記吸気口に前記接続パイプを接続したままの状態で、前記集塵袋を上方から挿入して前記集塵室に装着する際、前記シール部と前記集塵袋の台紙との間に前記逆止弁の下方側の弁を挟み込ませることなく装着できるので、隙間による塵埃の漏れを防止できるという等の効果を奏する。
【０００９】
本発明の請求項２によれば、前記ヒレ部によって、前記シール部と前記集塵袋の台紙との間に塵埃が侵入するのを阻止できるので、シール性を向上させることができるとともに、吸引される塵埃を前記集塵袋に導くことができる等の効果を奏する。
【００１０】
本発明の請求項３によれば、前記段部によって、前記ヒレ部に干渉することなく前記逆止弁を全開することができるので、吸引された塵埃を前記逆止弁に引っ掛けることなくスムーズに前記集塵袋内へ導くことができる等の効果を奏する。
【発明を実施するための最良の形態】
【００１１】
本発明の実施形態を図１乃至図９に基づいて以下に説明する。
【００１２】
図１は、本発明の実施形態の電気掃除機の掃除機本体の斜視図である。図２は、同掃除機本体を正面から見た正面図である。図３は、同掃除機本体の側面断面図である。図４は、同掃除機本体に接続パイプを接続したときの側面断面図である。図５は、同逆止弁の斜視図である。図６は、図３における要部の拡大断面図である。図７は、図４における要部の拡大断面図である。図８は、同掃除機本体を持ち運ぶ際の手掛部と指先との関係を示す図である。図９は、隙間用アタッチメントを同掃除機本体に収納した状態を示す図である。
【００１３】
１は、本発明の電気掃除機の掃除機本体で、後方の両側には一対の後車輪２、底面中央には一つの前車輪３が設けられており、簡単に前記掃除機本体１を移動できるようになっている。
【００１４】
４は、前記掃除機本体１内の後方に配置された電動送風機で、該電動送風機４の前方には、集塵室５が形成され、該集塵室５は、前記掃除機本体１の前側に形成された略円状の吸気口６と連通するようになっている。
【００１５】
７は、前記吸気口６に着脱自在に接続される接続パイプで、他端にはホース８が接続されている。そして、前記ホース８には延長管及び床用吸込具（いずれも図示しない）が接続され、床用吸込具から吸引された塵埃が後述する集塵袋９に運ばれる構成となっている。
【００１６】
９は、床用吸込具から吸引された塵埃を集塵し、前記集塵室５に着脱自在に装着される集塵袋で、吸込口１０と、該吸込口１０の周縁に取り付けられた台紙１１とを有している。前記集塵袋９は、前記台紙１１の下端を前記集塵室５の底面溝に嵌め込み、更には前記台紙１１の上端をクランプ１２で挟み込むことによって前記集塵室６に装着されている。
【００１７】
１３は、弾性体から成る略円状の逆止弁で、筒部１３ａが前記集塵室５側に臨む前記吸気口６の内周面に嵌め込まれて装着されている。前記逆止弁１３は、前記筒部１３ａと、断面形状が半円状のシール部１３ｂと、該シール部１３ｂの内側に形成された略円状のヒレ部１３ｃと、前記吸気口６を開閉する分割された複数の弁１３ｄと、前記接続パイプ７側に凹む段部１３ｅとを有している。
【００１８】
前記シール部１３ｂは、前記台紙１１と密着してシール性を向上させ、更に前記ヒレ部１３ｃは、前記シール部１３ｂと前記台紙１１との間に侵入しようとする塵埃を阻止しており、よりシール性を向上させている。
【００１９】
前記逆止弁１３は、放射状に複数分割されており、この分割方法は、放射状分割の中心１３ｆが、前記逆止弁１３の中央に対して下方側にずれた位置となるように分割（本実施例では、１４分割）され、更には分割された各々の前記弁１３ｄの表面積が略均等となるように分割されている。
【００２０】
前記吸気口６に前記接続パイプ７が接続されていない状態では、図３及び図６に示すように分割された前記弁１３ｄは前記吸気口６を閉塞しており、前記集塵袋９に集塵された塵埃が前記集塵袋９から漏れないようになっている。前記吸気口６に前記接続パイプ７を接続すると、前記接続パイプ７の端部が分割された全ての前記弁１３ｄに当接し、図４及び図７に示すように前記弁１３ｄは前記吸気口６を開放する方向（前記集塵袋９側の方向）に押し込まれる。前記弁１３ｄの開放状態においては、放射状分割の前記中心１３ｆが、前記逆止弁１３の中央に対して下方側にずれた位置になるように分割されているので、下方に下がるに連れて分割された前記弁１３ｄの長さは徐々に短くなり、下方側に位置する前記弁１３ｄにおいては、前記シール部１３ｂから突出する部分が少なくなっている。
【００２１】
従って、前記吸気口６に前記接続パイプ７を接続したままの状態（前記弁１３ｄの開放状態）で、前記集塵袋９を上方から挿入して前記集塵室５に装着する際、前記シール部１３ｂと前記台紙１１との間に、分割された下方側の前記弁１３ｄを挟み込ませることなく装着できるので、隙間による塵埃の漏れを防止することができるようになっている。
【００２２】
また、前記段部１３ｅは前記接続パイプ７側に凹むように形成されているので、前記ヒレ部１３ｃに干渉することなく分割された前記弁１３ｄを全開（略水平に開く）することができるので、吸引された塵埃を分割された前記弁１３ｄに引っ掛けることなくスムーズに前記集塵袋９内へ導くことができるとともに、吸気抵抗の低下を抑制している。
【００２３】
１４は、上方が開口された前記集塵室５を覆う集塵蓋で、前記掃除機本体１に開閉自在に装着されており、前記集塵袋９を着脱する場合に開閉できるようになっている。
【００２４】
１５は、隙間の部分を掃除するときに用いる隙間用アタッチメントで、先端に吸込口が形成された扁平状のノズル部１５ａと、該ノズル部１５ａから連なる略円形の連結部１５ｂとを有している。
【００２５】
１６は、前記隙間用アッタチメント１５の前記ノズル部１５ａに回動自在に設けられた毛ブラシで、被掃除面の状態に応じて前記毛ブラシ１６を回動させ使用できるようになっている。
【００２６】
１７は、前記集塵蓋１４の上面に形成された前記隙間用アタッチメント１５を収納するアタッチメント収納室で、前記隙間用アタッチメント１５を取り出しやすすくするために、手が挿入できる手挿入部１８が両側に形成されている。前記隙間用アタッチメント１５は、前記毛ブラシ１６を閉じた状態で前記アタッチメント収納室１７に収納されているが、収納時において前記手挿入部１８は、図９に示すように前記毛ブラシ１７と干渉しない位置に形成されている。従って、前記手挿入部１８に手を挿入しても、前記毛ブラシ１６に触れることなく前記隙間用アタッチメント１５を取り出すことができるため、衛生面を向上させることができるようになっている。
【００２７】
１９は、前記アタッチメント収納室１７を覆い、前記集塵蓋１４に開閉自在に装着された透明状のツールカバーで、前記隙間用アタッチメント１５を着脱する場合に開閉できるようになっている。前記ツールカバー１９は透明であるため、前記隙間用アタッチメント１５の収納状況を簡単に確認することができる。
【００２８】
２０は、前記掃除機本体１の前方側底面に形成された手掛部で、図７に示すように断面が逆Ｌ字状に凹んだ空間となっている。前記掃除機本体１を持ち運ぶ場合は、前記手掛部２０に手を掛けて前記掃除機本体１を傾斜させながら持ち上げできるようになっているが、前記掃除機本体１を傾斜させた時、前記手掛部２０の角部２１に指の関節が当たってしまい、前記掃除機本体１の重量が指の関節に集中して指先が痛いという不具合が生じていた。そこで、本願発明者らは、この問題を解消するために、前記手掛部２０の角部２１に前記掃除機本体１の前方側に傾斜する傾斜面２２を形成している。この構成によって、前記手掛部２０に手を掛けて前記掃除機本体１を傾斜させても、図８に示すように前記掃除機本体１の重量を前記傾斜面２２の広範囲で受けることができるので、指の関節にかかる重量を分散することができ、指先が痛くなる不具合を解消している。
【００２９】
上記構成における電気掃除機の動作について説明する。
【００３０】
動作スイッチ（図示しない）を操作すると、前記電動送風機４が駆動し、床用吸込具の吸込口（図示しない）から空気と共に塵埃が吸引される。吸引された塵埃は、前記吸気口６を通って前記集塵袋９に集塵される。塵埃で前記集塵袋９が満杯になると満杯ランプが点灯し、使用者へ前記集塵袋９を交換するよう報知する。交換作業は、前記集塵蓋１４を開き、前記クランプ１２を解除して前記集塵袋９を前記集塵室５から取り外し、新品の前記集塵袋９を前記集塵室５の上方から挿入して装着する。前記集塵袋９を装着する際においては、下方に下がるに連れて前記シール部１３ｂから突出する前記弁１３ｄの部分は徐々に少なくなっているため、使用者は前記シール部１３ｂと前記台紙１１との間に下方側に位置する前記弁１３ｄを挟み込むことなく簡単に装着することができる。
【００３１】
前記集塵袋９の交換作業が終了したら、前記集塵蓋１４を閉めて動作スイッチを動作させると、再び掃除することができる。
【図面の簡単な説明】
【００３２】
【図１】図１は、本発明の実施形態の電気掃除機の掃除機本体の斜視図である。
【図２】図２は、同掃除機本体を正面から見た正面図である。
【図３】図３は、同掃除機本体の側面断面図である。
【図４】図４は、同掃除機本体に接続パイプを接続したときの側面断面図である。
【図５】図５は、同逆止弁の斜視図である。
【図６】図６は、図３における要部の拡大断面図である。
【図７】図７は、図４における要部の拡大断面図である。
【図８】図８は、同掃除機本体を持ち運ぶ際の手掛部と指先との関係を示す図である。
【図９】図９は、隙間用アタッチメントを同掃除機本体に収納した状態を示す図である
【符号の説明】
【００３３】
４        電動送風機
５        集塵室
１        掃除機本体
６        吸気口
９        集塵袋
１０        吸込口
１１        台紙
１４        集塵蓋
１３ｂ      シール部
１３        逆止弁
７        接続パイプ
１３ｄ      弁
１３ｃ      ヒレ部
１３ｅ      段部
【図１】
2008099855.tif 000003
【図２】
2008099855.tif 000004
【図３】
2008099855.tif 000005
【図４】
2008099855.tif 000006
【図５】
2008099855.tif 000007
【図６】
2008099855.tif 000008
【図７】
2008099855.tif 000009
【図８】
2008099855.tif 000010
【図９】
2008099855.tif 000011